(57)【要約】【課題】商品の磁気的特性をその商品を人体に使用する顧客に応じてカスタマイズする技術において、各顧客の個別的な生体磁界をより正確に特定の商品の磁気的特性に反映する。【解決手段】各顧客が発する生体磁気によって磁化される磁化カードを非磁化状態で各顧客に個別に配布する。磁化カードは、磁化済みの状態においては、当該磁化カードが発する人工磁気により、生体磁気によって形成される生体磁場と等価な磁場を人工磁場として当該磁化カードの周辺に形成する。各顧客が特定の商品を自分の人体に使用するのに先立ちに、各顧客のための磁化済みの磁化カードによって形成される人工磁場またはそれと等価な磁場内に前記特定の商品を置き、それにより、その特定の商品を磁化する。各顧客は、その磁化された商品を自分の人体に使用する。【選択図】図６
2006006672.tif 000002
【特許請求の範囲】
【請求項１】
人体への塗布または体内への摂取という方式で人体に使用される商品の磁気的特性をその商品を使用する顧客に応じてカスタマイズする商品カスタマイジング方法であって、
各顧客が発する生体磁気によって磁化される磁化媒体であって、磁化済みの状態においては、当該磁化媒体が発する人工磁気により、前記生体磁気によって形成される生体磁場と等価な磁場を人工磁場として当該磁化媒体の周辺に形成するものを非磁化状態で各顧客に配布し、それにより、各顧客が自分の磁化媒体を用いて自分の生体磁場の分布を記録して保存することを可能にする磁化媒体配布工程と、
各顧客が特定の商品を自分の人体に使用するのに先立ちに、各顧客のための磁化済みの磁化媒体によって形成される前記人工磁場またはそれと等価な磁場内に前記特定の商品を置くことにより、その特定の商品を磁化する磁化工程と
を含む商品カスタマイジング方法。
【請求項２】
前記磁化工程は、前記磁化済みの磁化媒体に前記特定の商品を接触させることにより、前記人工磁場内にその特定の商品を置き、それにより、その特定の商品を磁化する請求項１に記載の商品カスタマイジング方法。
【請求項３】
前記磁化工程は、前記人工磁気を増幅器によって増幅することによって前記人工磁場を形成し、その形成された人工磁場内に前記特定の商品を置くことにより、その特定の商品を磁化する請求項１または２に記載の商品カスタマイジング方法。
【請求項４】
前記磁化工程は、前記人工磁気がリーダによって磁気的に読み取られて変換された電気信号に基づき、前記人工磁場と等価な磁場を形成し、その形成された等価な磁場内に前記特定の商品を置くことにより、その特定の商品を磁化する請求項１に記載の商品カスタマイジング方法。
【請求項５】
外部からの磁気である外部磁気によって磁化される磁化媒体であって、
磁化済みの状態においては、当該磁化媒体が発する人工磁気により、前記外部磁気によって形成される外部磁場と等価な磁場を人工磁場として当該磁化媒体の周辺に形成する磁化媒体。
【請求項６】
当該磁化媒体は、基材と、互いに接触しない状態で少なくとも２次元的に前記基材上に配列される複数個の磁性素子とを含む請求項５に記載の磁化媒体。
【請求項７】
前記複数個の磁性素子は、飽和磁化量が互いに異なる複数個の磁性素子を１群とする磁性素子群が複数、前記基材上における互いに異なる複数の位置にそれぞれ配置されるように配列される請求項６に記載の磁化媒体。
【請求項８】
前記複数の磁性素子群は、それら複数の磁性素子群のうちの複数の磁性素子群が直列に並んだ磁性素子列を、互いに立体交差する複数本の基準線のそれぞれに沿って複数列含む請求項７に記載の磁化媒体。
【請求項９】
当該磁化媒体は、前記外部磁気を発する対象物との物理的接触により、その対象物が発する外部磁気によって磁化されるリジッドまたはフレキシブルなカードとして形成される請求項５ないし８のいずれかに記載の磁化媒体。
【発明の詳細な説明】
【技術分野】
【０００１】
本発明は、商品の磁気的特性をその商品を人体に使用する顧客に応じてカスタマイズする技術に関する。
【背景技術】
【０００２】
人間が生活する際には、人間の生理的状態を維持・改善することが重要であり、そのためには、人体への塗布または摂取という方式で各種の商品が人体に使用される。例えば、商品としての化粧品の一例は、人間の皮膚の湿潤・平滑化、皮膚を構成する細胞の新陳代謝の促進等を目的として皮膚に塗布される。また、商品としての飲食物（サプリメントを含む。）は、人間に必要なエネルギー・栄養素の補給、生体機能の維持・改善、人間の体質の改善等を目的として人間の体内に摂取される。また、商品としての薬物は、人間の病気の治療、予防等を目的として人間の体内に摂取される。
【０００３】
人間は、複数種類の原子によって構成されている。原子の集合によって分子が構成され、分子の集合によって細胞が構成され、細胞の集合によって組織が構成され、組織によって人間の各種器官が構成され、そして、各種器官の集合によって人体が構成される。
【０００４】
原子は原子核とそのまわりを回転する電子とによって構成されている。原子はその種類に応じた固有の振動を行うため、原子は固有の振動数を有する微弱な電磁波を放出する。その結果、人間の場合には、人間の生体から磁界が発生する。いわゆる生体磁界が発生するのである。
【０００５】
因みに、ある医学文献においては、生体から発生する磁界が生体磁界と称呼され、この生体磁界は、体内を流れる電流が作る磁界（脳、神経、心臓等の磁界）と、体内に蓄積された磁性物質が作る磁界（肺、胃、腸、肝臓等の磁界）とを含むと記載されている。
【０００６】
人間に限らず商品も複数種類の原子によって構成されているため、商品から固有の磁界が発生する。したがって、人間が商品を人体への塗布または摂取という方式で自分の人体に使用しようとする際には、固有の振動数を有して人間が発生する磁界と、固有の振動数を有して商品が発生する磁界とが相互に作用する。
【０００７】
このような状況においては、音さの共鳴現象や、赤外線のうち特定の振動数を有するものが選択的に物質に吸収されて振動エネルギーが効率的に熱エネルギーに変換される現象から明らかなように、人間が発生する磁界の振動数に、商品が発生する磁界の振動数が一致すると、商品から人間への振動エネルギー（波動エネルギーともいう。）の伝達が効率よく、速やかに行われる。このように伝達速度が高速化することは、例えば、商品の効能、効果等、商品の影響が人間に早期に現れることに寄与する可能性がある。
【０００８】
一方、特許文献１には、第１の液体の磁気的特性により、第２の液体の磁気的特性に影響を与えるために、それら第１および第２の液体をそれぞれ第１および第２のコイルに近接して配置したうえで、第１のコイルに通電することにより、その第１のコイルに生ずる磁気を第１および第２の液体に作用させる工程と、第２のコイルに通電することにより、その第２のコイルに生ずる磁気を第１および第２の液体に作用させる工程とを１回ずつまたは複数回ずつ行う技術が記載されている。
【特許文献１】特許第２８９６０３０号公報
【発明の開示】
【発明が解決しようとする課題】
【０００９】
したがって、顧客が特定の商品を効果的に人体に使用するためには、それに先立ち、その特定の商品の磁気的特性（例えば、前述の固有振動数を含む。）を、例えば、顧客の特性（例えば、前述の生体磁界の固有振動数を含む。）に応じてカスタマイズすることが有効である。
【００１０】
そのためには、顧客の特性を特定の商品の磁気的特性に反映することが必要であるが、前記特許文献１に記載の従来技術では、各液体の磁気的特性が、その液体に近接して配置されたコイルに流れる電流によって生じる磁界として間接的にしか測定されない。そのため、この従来技術を、顧客が自ら発する生体磁界を特定の商品の磁気的特性に反映する技術に応用したとしても、顧客が自ら発する生体磁界を直接的に測定することができず、よって、その生体磁界を正確に特定の商品の磁気的特性に反映することもできない。
【００１１】
以上説明した事情を背景とし、本発明は、商品の磁気的特性をその商品を人体に使用する顧客に応じてカスタマイズする技術において、各顧客の個別的な生体磁界をより正確に特定の商品の磁気的特性に反映することを課題としてなされたものである。
【課題を解決するための手段】
【００１２】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００１３】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００１４】
（１）  人体への塗布または体内への摂取という方式で人体に使用される商品の磁気的特性をその商品を使用する顧客に応じてカスタマイズする商品カスタマイジング方法であって、
各顧客が発する生体磁気によって磁化される磁化媒体であって、磁化済みの状態においては、当該磁化媒体が発する人工磁気により、前記生体磁気によって形成される生体磁場と等価な磁場を人工磁場として当該磁化媒体の周辺に形成するものを非磁化状態で各顧客に配布し、それにより、各顧客が自分の磁化媒体を用いて自分の生体磁場の分布を記録して保存することを可能にする磁化媒体配布工程と、
各顧客が特定の商品を自分の人体に使用するのに先立ちに、各顧客のための磁化済みの磁化媒体によって形成される前記人工磁場またはそれと等価な磁場内に前記特定の商品を置くことにより、その特定の商品を磁化する磁化工程と
を含む商品カスタマイジング方法。
【００１５】
この方法によれば、各顧客が発する生体磁気によって磁化される磁化媒体が非磁化状態で各顧客に配布される。その磁化媒体は、各顧客ごとに使用され、磁化済みの状態においては、当該磁化媒体の磁気により、各顧客の生体磁気によって形成される生体磁場と等価な磁場（完全に同じであるかまたは概して同じ磁場）が人工磁場として当該磁化媒体の周辺に形成される。その結果、各顧客は、自分の磁化媒体を用いて自分の生体磁場の分布を記録して保存することが可能となる。
【００１６】
したがって、この方法によれば、人体にコイルを近接して配置したうえで、そのコイルに通電することによって人体から磁場を発生させる場合に比較し、人体が自ら発する磁場を正確に測定することが可能となる。
【００１７】
さらに、この方法によれば、各顧客が特定の商品を自分の人体に使用するのに先立ちに、各顧客のための磁化済みの磁化媒体によって形成される人工磁場またはそれと等価な磁場内に特定の商品が置かれ、それにより、その特定の商品が磁化される。
【００１８】
したがって、この方法によれば、人体が自ら発する磁界をより正確に特定の商品の磁気的特性に反映することが可能となる。よって、この方法によれば、商品の磁気的特性をその商品を使用する顧客に応じてカスタマイズすることが可能となる。
【００１９】
本項における「磁化媒体」は、例えば、それ自体単独で物理的に存在するという独立性を有するものとしたり、所在位置が容易に変更可能であるという可搬性を有するものとすることが可能である。
【００２０】
（２）  前記磁化工程は、前記磁化済みの磁化媒体に前記特定の商品を接触させることにより、前記人工磁場内にその特定の商品を置き、それにより、その特定の商品を磁化する（１）項に記載の商品カスタマイジング方法。
【００２１】
この方法によれば、同じ磁化媒体を、生体磁場を記録する機能と、商品を直接的に磁化する機能との双方を果たすために使用することが可能となる。
【００２２】
（３）  前記磁化工程は、前記人工磁気を増幅器によって増幅することによって前記人工磁場を形成し、その形成された人工磁場内に前記特定の商品を置くことにより、その特定の商品を磁化する（１）または（２）項に記載の商品カスタマイジング方法。
【００２３】
この方法によれば、磁化媒体が単独で発生し得る人工磁気を増幅する増幅器を用いない場合より強い人工磁場を発生させることが可能となり、その結果、特定の商品を磁化するのに必要な時間の短縮が容易となる。
【００２４】
（４）  前記磁化工程は、前記人工磁気がリーダによって磁気的に読み取られて変換された電気信号に基づき、前記人工磁場と等価な磁場を形成し、その形成された等価な磁場内に前記特定の商品を置くことにより、その特定の商品を磁化する（１）項に記載の商品カスタマイジング方法。
【００２５】
この方法によれば、同じ磁化媒体を、生体磁場を記録する機能と、商品を間接的に磁化する機能との双方を果たすために使用することが可能となる。さらに、この方法によれば、例えば、磁化媒体から離れた位置において商品を磁化することが可能となるため、顧客は、商品の磁化のためにいちいちその作業場所に磁化媒体を持ち込む煩から解放される。
【００２６】
（５）  外部からの磁気である外部磁気によって磁化される磁化媒体であって、
磁化済みの状態においては、当該磁化媒体が発する人工磁気により、前記外部磁気によって形成される外部磁場と等価な磁場を人工磁場として当該磁化媒体の周辺に形成する磁化媒体。
【００２７】
この磁化媒体によれば、外部磁場を記録して再現することが可能になる。したがって、この磁気媒体は、前記（１）ないし（４）項のいずれかに係る方法において、生体磁場を記録するとともに、その生体磁場を特定の商品の磁気的特性に反映するために好適に使用し得る。
【００２８】
（６）  当該磁化媒体は、基材と、互いに接触しない状態で少なくとも２次元的に前記基材上に配列される複数個の磁性素子とを含む（５）項に記載の磁化媒体。
【００２９】
（７）  前記複数個の磁性素子は、飽和磁化量が互いに異なる複数個の磁性素子を１群とする磁性素子群が複数、前記基材上における互いに異なる複数の位置にそれぞれ配置されるように配列される（６）項に記載の磁化媒体。
【００３０】
この磁化媒体によれば、基材上における各位置に１つの磁性素子群が配置され、この１つの磁性素子群は、飽和磁化量が互いに異なる複数個の磁性素子を含んでいる。したがって、この磁化媒体によれば、基材上における各位置ごとに、その位置に配置された磁性素子の数に応じた数の磁気レベルにより、外部磁場を記録して再現することが可能となる。
【００３１】
すなわち、この磁化媒体によれば、基材上における各位置ごとに１つの磁性素子が配置される場合に比較し、多値の磁気レベルにより、外部磁場を正確に記録して再現することが可能となるのである。
【００３２】
（８）  前記複数の磁性素子群は、それら複数の磁性素子群のうちの複数の磁性素子群が直列に並んだ磁性素子列を、互いに立体交差する複数本の基準線のそれぞれに沿って複数列含む（７）項に記載の磁化媒体。
【００３３】
この磁化媒体によれば、基材上に磁性素子列が１列しか配列されない場合より、外部磁場を３次元的に記録して再現する精度を向上させることが容易となる。特に、この磁化媒体によれば、それら複数列の磁性素子列が互いに立体交差するように配列されるため、実際に交差するように配列される場合より、その交差点から遠ざかるにつれて磁気レベルが低下するという外部磁場の分布をより正確に再現することが容易となる。
【００３４】
（９）  当該磁化媒体は、前記外部磁気を発する対象物との物理的接触により、その対象物が発する外部磁気によって磁化されるリジッドまたはフレキシブルなカードとして形成される（５）ないし（８）項のいずれかに記載の磁化媒体。
【００３５】
この磁化媒体は、カードという形態を有するように概して板状に形成されるため、立体的に形成される場合より、外部磁場の記録・再現、磁化媒体の保管・携帯等において使い易さが向上する。
【発明を実施するための最良の形態】
【００３６】
以下、本発明のさらに具体的な実施の形態のいくつかを図面に基づいて詳細に説明する。
【００３７】
図１には、本発明の第１実施形態に従う商品カスタマイジング方法を実施するために使用される磁化カード１０および信号処理装置１２が、磁化される対象物である商品１４と共に斜視図で示されている。
【００３８】
商品１４は、ある顧客によって自分の人体に使用されるものである。この商品１４の一例は、体内に摂取される飲食物の一例である飲料水であり、別の例は、皮膚に塗布される化粧液である。商品１４は、それが液体である場合には、固体の容器内に収容される。
【００３９】
磁化カード１０は、前記（１）項における「磁化媒体」の一例である。この磁化カード１０は、それ自体単独で物理的に存在する独立性を有し、さらに、可搬性を有する。この磁化カード１０は、商品１４の各顧客が自ら発する生体磁気によって磁化される。この磁化カード１０は、磁化済みの状態においては、この磁化カード１０が発する人工磁気により、各顧客の生体磁気によって形成される生体磁場と等価な磁場を人工磁場としてこの磁化カード１０の周辺に形成する。
【００４０】
この磁化カード１０は、商品１４の販売者またはその関連業者の指示により、複数人の顧客に個別に、かつ、非磁化状態で配布される。この磁化カード１０は、例えば、図２に示すように、パッケージ２０内に封印されることにより、磁気的に外部からシールドされた状態で各顧客に配布される。
【００４１】
パッケージ２０には、各顧客によるパッケージ２０の開封を容易にするためのノッチ２２が形成されている。このパッケージ２０には、さらに、開封されたパッケージ２０から取り出された磁化カード１０を反復的に開封可能な状態でパッケージ２０内に封印するためのファスナ２４も設けられている。
【００４２】
磁化カード１０が各顧客に配布されれば、各顧客は、自分の磁化カード１０に自分の生体磁場の分布を記録して保存することを可能になる。図３には、磁化カード１０が、その保有者の両手のうちの一方の掌に載せられている状態で示されているが、この磁化カード１０は、本実施形態においては、その保有者の両手の掌によって挟まれ、その結果、この磁化カード１０の両面が両手の掌にそれぞれ接触させられる。この接触が一定時間行われると、保有者が両手から発する生体磁界によって磁化カード１０が磁化される。
【００４３】
図４には、この磁化カード１０の構造が示されている。図４（ａ）には平面図で、（ｂ）には（ａ）におけるＡＡ断面図で、（ｃ）には（ａ）におけるＢＢ断面図でそれぞれ、磁化カード１０が示されている。
【００４４】
この磁化カード１０は、基本的は、板状の基材３０上に第１層３２と第２層３４とが積層されて構成されている。この磁化カード１０には、互いに立体交差するＸ軸とＹ軸とが設定されている。Ｘ軸は第１層３２に、Ｙ軸は第２層３４にそれぞれ固定されている。
【００４５】
第１層３２においては、Ｘ軸に直角な方向に複数個の磁性素子４０が一列に並んで成る磁性素子群４２が複数、Ｘ軸に沿って並んでいる。同様にして、第２層３４においても、Ｙ軸に直角な方向に複数個の磁性素子４０が一列に並んで成る磁性素子群４２が複数、Ｙ軸に沿って並んでいる。図４（ａ）においては、Ｘ軸に沿って延びる四角形の枠が二点鎖線で示されており、この枠内の領域に複数個の磁性素子４０がドットマトリクス状に配列されている。同様にして、Ｙ軸に沿って延びる四角形の枠が二点鎖線で示されており、この枠内の領域に複数個の磁性素子４０がドットマトリクス状に配列されている。
【００４６】
いずれの層においても、一つの磁性素子群４２には複数個の磁性素子４０が属するが、それら磁性素子４０は飽和磁化量に関して互いに異ならせられている。具体的には、それら磁性素子４０は例えば、体積に関して互いに異ならせられている。したがって、各層３２，３４は、各磁性素子群４２が配置される位置ごとに、各磁性素子群４２に属する磁性素子４０の数に応じた数の磁気レベル（例えば、磁気が０であるレベルも１つのレベルであると考える場合には、磁性素子４０の数に１を加えた数と同数の磁気レベル）で磁化される。その結果、各層３２，３４は、各層３２，３４に作用する外部磁場としての生体磁場を、２値より多い多値の磁気レベルで記録して保存することが可能である。
【００４７】
さらに、本実施形態においては、Ｘ軸に沿って延びる磁性素子４０の列である磁性素子列５０と、Ｙ軸に沿って延びる磁性素子４０の列である磁性素子列５２とが互いに立体交差している。その結果、図４（ｃ）に示すように、磁化カード１０を真横から見た場合には、Ｘ軸とＹ軸との立体交差点において、磁性素子４０が２段に積層されている。したがって、本実施形態によれば、磁化カード１０において、Ｘ軸とＹ軸との立体交差点から遠ざかるにつれて磁気レベルが減少し、それにより、磁化カード１０は、ピラミッド状に分布する人工磁界を発生させることが可能となる。このような人工磁界の分布は、商品１４の固有振動数を各顧客の生体磁界の固有振動数に十分に一致させるかもしくは完全に一致させること、すなわち、いわゆる部分的または完全な同化のために好都合である。
【００４８】
本実施形態においては、各磁性素子４０の材質が例えばフェライトであり、また、各磁性素子４０の直径が例えば約０．０３ｍｍである。すなわち、各磁性素子４０はミニ磁石なのである。各磁性素子４０は、例えば、各層３２，３４内の所定表面に、横方向において隣接する磁性素子４０と接触しない状態で、接着剤によって接着される。
【００４９】
図１に示すように、磁化カード１０は、概して箱状を成す信号処理装置１２と共に使用される。その信号処理装置１２は、それの上面において、磁化カード１０が載置される作用面６０と、作業者によって操作される操作面６２とを有している。
【００５０】
図５には、その操作面６２が拡大して示されている。この操作面６２には、メインスイッチ７０と、記録スイッチ７２と、停止スイッチ７４と、磁化スイッチ７６，７７と、ボリュームスイッチ７８と、レコーダ切換スイッチ８０と、フォルダスイッチ８２と、クリアリセットスイッチ８４とが設けられている。
【００５１】
メインスイッチ７０は、信号処理装置１２への電源投入と切断とを選択的に行うために操作される。
【００５２】
記録スイッチ７２は、複数人の顧客にそれぞれ関連付けて、磁化カード１０が発する人工磁場を記録するために操作される。すなわち、磁化カード１０が発する人工磁界の強さを２次元的に読み取って記録するために操作されるのである。磁化カード１０が発する人工磁場は、各顧客が発する生体磁化を反映しているため、人工磁場を記録することは結局、生体磁界を記録することに等しい。
【００５３】
人工磁場の記録は、各顧客ごとに、その顧客が保有する磁化カード１０が作用面６０上に載置される状態で行われる。人工磁場の強さを表す信号は、フォルダＡないしＨと称する複数個の記憶部のうちのいずれかに記憶される。各記憶部には、各顧客が保有する磁化カード１０が発する人工磁場の強さが、その磁化カード１０上の複数の位置のそれぞれに関連付けて記憶される。
【００５４】
作用面６０上に磁化カード１０が単独で載置される状態で記録スイッチ７２が操作されると、磁化カード１０が発する人工磁界のみが読み取られる。これに対し、作用面６０上に磁化カード１０と一緒に磁化前の商品１４が載置される状態で記録スイッチ７２が操作されると、磁化カード１０が発する人工磁界のみならず、磁化前の商品１４の磁気的特性（例えば、商品１４が発する磁界）も読み取られる。
【００５５】
停止スイッチ７４は、信号処理装置１２の各種動作を停止させるために操作される。
【００５６】
磁化スイッチ７６，７７は、生体磁場が再現されるように人工磁場を発生させ、その人工磁場によって商品１４を磁化するために操作される。一方の磁化スイッチ７６が操作されると、磁化が開始され、一定時間経過後に自動的に終了する。これに対し、他方の磁化スイッチ７７が操作されると、磁化が開始され、停止スイッチ７４が操作されるのを待って終了する。いずれの磁化スイッチ７６，７７が操作された場合にも、前述のフォルダＡないしＨのうちフォルダスイッチ８２の操作によって選択されたものに予め記憶された信号に基づき、商品１４の磁化が行われる。
【００５７】
ボリュームスイッチ７８は、信号処理装置１２による増幅の程度を調整するために操作される。信号処理装置１２は、作用面６０上に載置されている磁化カード１０が発する人工磁界を増幅して発生させるとともに、その発生させられた磁界を商品１４に作用させることにより、磁化カード１０の磁化を効率よく、速やかに行う。このような人工磁界が増幅される程度がボリュームスイッチ７８によって調整されるのである。
【００５８】
レコーダ切換スイッチ８０は、作用面６０上に載置されている磁化カード１０が発する人工磁界の強さであって読み取られたものを表す信号が記録されるべき場所を切り換えるために操作される。具体的には、その読み取られた信号が記録されるべき場所を、信号処理装置１２内の記憶部、すなわち、前述のフォルダＡないしＨにするのか、信号処理装置１２に接続された外部記録装置（例えば、コンピュータ内のメモリ）にするのかを選択するために操作される。
【００５９】
その読み取られた信号の記録場所として信号処理装置１２内の記憶部が選択された場合には、図５において「ＩＮＴＥＲＭＩＮＡＬ  ＯＵＴＰＵＴ」という名前が付されたインジケータ８４が点灯し、一方、その読み取られた信号の記録場所として信号処理装置１２の外部にある外部記録装置が選択された場合には、同図において「ＥＸＴＥＲＭＩＮＡＬ  ＯＵＴＰＵＴ」という名前が付されたインジケータ８６が点灯する。
【００６０】
フォルダスイッチ８２は、フォルダＡないしＨのうちのいずれかを選択するための操作される。フォルダＡないしＨのうち選択されたものを表示するために複数個のインジケータ８８がそれらフォルダＡないしＨにそれぞれ関連付けて設けられている。
【００６１】
クリアリセットスイッチ８４は、それらフォルダＡないしＨを一斉に、または、それらフォルダＡないしＨのうちフォルダスイッチ８２の操作によって選択されたもののみをクリア状態にリセットするために操作される。
【００６２】
図１には、信号処理装置１２の作用面６０上に磁化済みの磁化カード１０が載置され、その磁化カード１０上に商品１４が載置されている状態が示されている。この状態においては、磁化カード１０が商品１４と信号処理装置１２との間に介在させられており、この状態において信号処理装置１２を起動させれば、少なくとも磁化カード１０の人工磁界に基づいて商品１４が磁化されて、その商品１４の磁気的特性としての固有振動数が各顧客に適合するようにカスタマイズされる。
【００６３】
ただし、磁化カード１０が発する人工磁場が一旦信号処理装置１２に記憶されたならば、磁化カード１０なしでも、その人工磁場と等価な磁場が信号処理装置１２により、もとの人工磁場の振動波形より振幅が増幅された状態で、発生させられる。そのようにして増幅された磁場により、商品１４を磁化してそれの磁気的特性をカスタマイズすることも可能である。すなわち、信号処理装置１２は、磁化カード１０が発する人工磁場を読み取るリーダ、その読み取られた人工磁場を記録するレコーダ、およびその読み取られた人工磁場を増幅する増幅器として機能するのである。
【００６４】
図６には、本実施形態に従う商品カスタマイジング方法の一応用例が工程図で示されている。
【００６５】
この応用例においては、まず、販売者の指示により、磁化前の磁化カード１０が図２に示す如く、磁気的にシールドされた状態で、複数人の顧客にそれぞれ配布される。その磁化カード１０を受領した各顧客は、その磁化カード１０を両手の掌で挟むことにより、自分の人体が自ら発する生体磁界によってその磁化カード１０を磁化する。これにより、その生体磁界がその磁化カード１０に記録される。
【００６６】
その磁化済みの磁化カード１０が販売者に提供されると、販売者は、その磁化カード１０と信号処理装置１２とを用いることにより、その磁化カード１０の保有者である今回の顧客によって指定された商品１４を、その磁化カード１０が発する人工磁界によって磁化する。これにより、その指定商品１４の磁気的特性としての固有振動数が、今回の顧客の生体磁界の固有振動数に適合するように、カスタマイズされる。
【００６７】
そのようにしてカスタマイズされた商品１４は、その後、販売者の指示により、今回の顧客宛てに配送される。その顧客は、その配送された商品１４を自分の人体に使用すれば、その商品１４の効果・効能を効率よく享受することができる。
【００６８】
顧客が発生する磁界の振動数に、商品１４が発生する磁界の振動数が一致すると、商品１４から顧客の人体への振動エネルギー（波動エネルギーともいう。）の伝達が効率よく、速やかに行われる。
【００６９】
このように伝達速度が高速化することは、例えば、商品１４の効能、効果等、商品１４の影響が人間に早期に現れることに寄与する可能性がある。また、振動エネルギーが、電荷を有する粒子の振動に依拠する場合には、商品１４から人間への振動エネルギーの伝達が効率よく行われることは、商品１４から人間への電荷の移動が効率よく行われることを意味する。すなわち、商品１４の持つ電荷を機械的に人間に注入することなく、商品１４から人間への必要な電荷の移動が、磁化現象を利用して自然に効率よく行われることを意味するのである。
【００７０】
また、商品１４が発生する磁界が、振動数が互いに異なる複数の成分を有する場合には、それら複数の成分のうち、人間が発生する磁界の振動数に一致する振動数を有する成分のみが選択されて商品１４から人間に伝達される。このことは、人間にとって必要ではない成分が商品１４からその人間に伝達されずに済むことを意味する。
【００７１】
なお付言するに、本実施形態においては、商品１４を磁化するために信号処理装置１２が使用されるが、信号処理装置１２の使用は本発明を実施するために不可欠なことではなく、磁化済みの磁化カード１０に商品１４を単に接触させることにより、その商品１４を磁化してカスタマイズする態様で本発明を実施することが可能である。
【００７２】
さらに付言すれば、図６においては、顧客が行う工程として波形診断も存在するが、この工程については次の実施形態において説明する。
【００７３】
図７には、本発明の第２実施形態に従う商品カスタマイジング方法を実施するために使用されるシステムが示されている。
【００７４】
本実施形態においては、顧客により、装填された磁化カード１０に記録された生体磁場をその磁化カード１０から読み取るリーダ１００と、そのリーダ１００に電気的に接続されたコンピュータ１０２とが使用される。この顧客側のシステムにおいては、リーダ１００によって読み取られた生体磁場の波形を表す波形データが、顧客のコンピュータ１０２に記憶されるとともに画面上に表示される。顧客は、その表示された波形を、同じ顧客について過去に取得されて記憶された別の波形と比較することにより、今回の波形を診断することが可能である。顧客のこの行為が図６における波形診断に該当する。
【００７５】
顧客のコンピュータ１０２は、インターネット等の通信ネットワーク１０４を介して販売者のコンピュータ１０６に接続されている。顧客は、自分の人体に使用することを希望する商品１４を販売者に注文するための注文データと共に、自分のコンピュータ１０２に記憶された波形データを販売者のコンピュータ１０６に送信することができる。この送信後、販売者のコンピュータ１０６は、その送信された波形データに基づき、信号処理装置１２を用いて人工磁場を発生させる。その発生させられた人工磁場により、前記送信された注文データにより特定される商品１４が磁化される。これにより、本実施形態によれば、商品１４が、オンラインで注文されるとともに、その磁気的特性がオンラインでカスタマイズされる。
【００７６】
以上、本発明の実施の形態のいくつかを図面に基づいて詳細に説明したが、これらは例示であり、前記［発明の開示］の欄に記載の態様を始めとして、当業者の知識に基づいて種々の変形、改良を施した他の形態で本発明を実施することが可能である。
【図面の簡単な説明】
【００７７】
【図１】本発明の第１実施形態に従う商品カスタマイジング方法を実施するために使用される磁化カード１０、信号処理装置１２および商品１４を示す斜視図である。
【図２】図１に示す磁化カード１０を磁気的シールド状態で包装するパッケージ２０を示す斜視図である。
【図３】図１に示す磁化カード１０が顧客の生体磁場により、その顧客の両手で挟まれた状態で磁化される様子を説明するための斜視図である。
【図４】図３に示す磁化カード１０を示す平面図、ＡＡ断面図およびＢＢ断面図である。
【図５】図１に示す信号処理装置１２における操作面６２を拡大して示す平面図である。
【図６】第１実施形態に従う商品カスタマイジング方法の一応用例を示す工程図である。
【図７】本発明の第２実施形態に従う商品カスタマイジング方法を実施するために使用されるシステムを示す系統図である。
【符号の説明】
【００７８】
１０  磁化カード
１２  信号処理装置
１４  商品
３０  基材
３２  第１層
３４  第２層
４０  磁性素子
４２  磁性素子群
５０，５２  磁性素子列
１００  リーダ
１０２，１０６  コンピュータ
【図１】
2006006672.tif 000003
【図２】
2006006672.tif 000004
【図３】
2006006672.tif 000005
【図４】
2006006672.tif 000006
【図５】
2006006672.tif 000007
【図６】
2006006672.tif 000008
【図７】
2006006672.tif 000009